(57)【要約】【課題】走査装置の部分から出力される電磁波を、キャリッジの金属製のフレームからガイドレール部材を介して画像読取装置の筐体に逃がす手段を構成する。【解決手段】第１キャリッジ１の足部分２の略中央に、導電性の弾性部材としての板バネ２０をカシメて取り付け、その下側に導電性の樹脂部材２１を組み付ける。第１キャリッジ１の足部分２がレール３に接した状態において、板バネ２０が撓んだ状態で樹脂部材２１をレール３に押し付けるようにする。樹脂に短いステンレス繊維を充填したものを使用する。第１キャリッジ１とレール３を弾性体を介した導電性樹脂で接することにより、ＥＭＩ放射の低減を可能にする。また、錆びて経時劣化して性能がＥＭＩ放射の特性が変化することがないため初期性能を安定して保つことを可能になる。さらに、カーボンを充填した樹脂と違い削れにくく粉塵の発生も極力抑え得る。【選択図】図１
2008131118.tif 000002
【特許請求の範囲】
【請求項１】
原稿画像の読み取りに用いる光源を搭載した走行体をレールに沿って移動させて前記原稿画像の読み取りを実行する画像読取装置において、前記走行体内では導電性を有する部材によりすくなくとも１点で前記レールに接し、電気的に画像読取装置の筐体と接続された状態で原稿を走査することとを特徴とする画像読取装置。
【請求項２】
請求項１記載の画像読取装置において、前記導電性を有する部材が、樹脂製であることを特徴とする画像読取装置。
【請求項３】
請求項１または２に記載の画像読取装置において、前記樹脂部材が、金属を充填した樹脂であることを特徴とする画像読取装置。
【請求項４】
請求項１から３のいずれかに記載の画像読取装置において、前記走行体と前記導電性部材の間に導電性の弾性部材を介在させてなることを特徴とする画像読取装置。
【請求項５】
請求項１から４のいずれかに記載の画像読取装置において、前記導電性部材を前記走行体を支持する足の略中央に配置したことを特徴とする画像読取装置。
【請求項６】
請求項１から３のいずれかに記載の画像読取装置と、該画像読取装置が読み取った原稿画像に基づいた画像を電子写真方式で記録材上に形成するプリンタ装置とを備えることを特徴とする複写装置。
【請求項７】
請求項１から３のいずれかに記載の画像読取装置と、該画像読取装置が読み取った原稿画像に基づいた画像を電子写真方式で記録材上に形成するプリンタ装置と通信装置を備えることを特徴とするファクシミリ装置。
【請求項８】
請求項１から７のいずれかに記載の画像読取装置を備えることを特徴とする画像形成装置。
【発明の詳細な説明】
【技術分野】
【０００１】
本発明は、画像読取装置に関し、特に、複写機、ファクシミリ、またはコンピュータの入力装置等に用いられる、光源からの光を原稿画像に照射し、原稿画像からの反射光を結像させて、原稿画像を読み取る画像読取装置と、この画像読取装置を用いた複写装置、ファクシミリ装置、画像形成装置に関する。
【背景技術】
【０００２】
原稿の画像を読み取るための光学系部品のうち光源、ミラーを搭載した走行体を、所定方向に往復移動させることにより、原稿の画像を露光走査するようにした画像読取装置においては、画像の高品質化に伴い、画像読取装置の光源の明るさは増加傾向の一途である。ところが、光源の明るさが増大するとノイズも増大するため、ＥＭＩ（Ｅｌｅｃｔｒｉｃ  Ｍａｇｎｅｔｉｃ  Ｉｎｔｅｒｆｅｒｅｎｃｅ）放射も増大する傾向にある。
【０００３】
このＥＭＩ放射を低減させる対策として、光源を搭載した走行体を画像読取装置の筐体へ接地（アース）させるためにフレキシブルケーブルやアース用電線を設け、ノイズを筐体側へ逃がしてＥＭＩ放射の低減を図っているものがある。また、別の対策としては、光源へ接続される電源ケーブルにフェライトコアを入れてＥＭＩ放射の低減を図っているものがある。
【０００４】
しかし、これらのＥＭＩ放射対策では、画像読取動作の機能として必要ではない特別な構成を追加する必要があるので、構造が複雑になり、コストが増大するという問題がある。このような問題点を改善するものとして、キャリッジを接地することについては、アナログ方式の複写機に関するものであるが、駆動ワイヤを利用する方式が特許文献１に開示されている。
【０００５】
【特許文献１】実開昭６４−４４３１号公報
【発明の開示】
【発明が解決しようとする課題】
【０００６】
しかしながらワイヤで接地する方式は、ワイヤの劣化及び錆の発生により、導電性能が変化し、経時での特性を保証し難いという問題点がある。
【０００７】
そこで本発明は、デジタル方式の画像読取装置等において、走査装置の部分から出力される電磁波を、キャリッジの金属製のフレームからガイドレール部材を介して画像読取装置の筐体に逃がす手段を構成し、ＥＭＩ放射を経時変化の少ない簡単な構成での低減することができるようにすることを目的とする。
【課題を解決するための手段】
【０００８】
本発明の請求項１に係る画像読取装置は、原稿画像の読み取りに用いる光源を搭載した走行体をレールに沿って移動させて前記原稿画像の読み取りを実行する画像読取装置において、前記走行体内では導電性を有する部材によりすくなくとも１点で前記レールに接し、電気的に画像読取装置の筐体と接続された状態で原稿を走査することとを特徴とする。
【０００９】
同請求項２に係るものは、請求項１記載の画像読取装置において、前記導電性を有する部材が、樹脂製であることを特徴とする。
【００１０】
同請求項３に係るものは、請求項１または２に記載の画像読取装置において、前記樹脂部材が、金属を充填した樹脂であることを特徴とする。
【００１１】
同請求項４に係るものは、請求項１から３のいずれかに記載の画像読取装置において、前記走行体と前記導電性部材の間に導電性の弾性部材を介在させてなることを特徴とする。
【００１２】
同請求項５に係るものは、請求項１から４のいずれかに記載の画像読取装置において、前記導電性部材を前記走行体を支持する足の略中央に配置したことを特徴とする。
【００１３】
同請求項６に係る複写機は、請求項１から３のいずれかに記載の画像読取装置と、該画像読取装置が読み取った原稿画像に基づいた画像を電子写真方式で記録材上に形成するプリンタ装置とを備えることを特徴とする。
【００１４】
同請求項７に係るファクシミリ装置は、請求項１から３のいずれかに記載の画像読取装置と、該画像読取装置が読み取った原稿画像に基づいた画像を電子写真方式で記録材上に形成するプリンタ装置と通信装置を備えることを特徴とする。
【００１５】
同請求項８に係る画像形成装置は、請求項１から７のいずれかに記載の画像読取装置を備えることを特徴とする。
【発明の効果】
【００１６】
本発明は、走行体内では導電性を有する部材によりすくなくとも１点で前記レールに接し、電気的に画像読取装置の筐体と接続された状態で原稿を走査することにより、ＥＭＩ放射の低減を可能にしている。
【発明を実施するための最良の形態】
【００１７】
以下本発明を実施するための最良の形態を、図に示す実施例を参照して説明する。
【実施例１】
【００１８】
図１は、本発明の一実施形態に係る画像読取装置の全体構成を示す斜視図、図２は同側面図、図３は同第１キャリッジ詳細図、図４はキャリッジの拡大斜視図である。これらの図において、１は第１キャリッジ、２は第１キャリッジの足部分、３は第１キャリッジを支持するレール、４は第２キャリッジ、５は第２キャリッジを支持するレールである。
【００１９】
一般的な画像読取装置１００は、各図に示した構成と同様に第１キャリッジ１上の光源１０と反射板１１によって照射された原稿からの反射光を第１ミラー１２から第２キャリッジ４のミラーを経由してレンズ６によってＣＣＤ７に結像させる。第１キャリッジ１と第２キャリッジ４は図示しないワイヤによって連結され、プーリを介することによって第１キャリッジ１が速度ｖで、第２キャリッジ４が速度１／２ｖで駆動され図示しないコンタクトガラス上の原稿を走査するようになっている。
【００２０】
このような画像読取装置１００において、本発明の実施例では第１キャリッジ１の足部分２の略中央に、導電性の弾性部材としての板バネ２０をカシメて取り付けてあり、その下側にくるように導電性の樹脂部材２１を組み付けてある。そして、第１キャリッジ１の足部分２がレール３に接した状態において、板バネ２０が撓んだ状態で樹脂部材２１をレール３に押し付けるようになっている。
【００２１】
本実施例では樹脂に短いステンレス繊維を充填したものを使用した。これによりカーボンを充填した樹脂よりも高寿命になり、粉塵の発生をすくなくすることを可能にしている。また、キャリッジにかかる負荷を変動を低減するためにキャリッジ１の足２の中央に設置している。
【００２２】
またキャリッジ１が画像走査のために移動することにより、足２と樹脂部材２１は磨耗していくため、足２には摺動性が高く、耐磨耗性の高い高分子ポリエチレンを用いている。足２と樹脂部材２１は材質が違うため、削れる量が一定ではないが、樹脂部材２１は板バネ２０を介してキャリッジ１と接続してあるため、足２の削れる量にかかわらず、ほぼ一定の圧でレール３に接することを可能にしている。
【００２３】
なお本実施例では樹脂部材２１に板バネ２０を挿入したが、抜け防止のために、熱カシメを行ったり、ピンを挿入して固定したりすることによって構成することも可能である。これにより第１キャリッジ１、樹脂２１、レール３と筐体が電気的に接続され、第１キャリッジが原稿を読取ためにレール上を移動しても電気的接続が切れることがない。これにより光源１０から主に放射される電磁波ノイズの影響を少なくすることを可能している。
【００２４】
すなわち本発明では、第１キャリッジ１とレール３を弾性体を介した導電性樹脂によって接することにより、ＥＭＩ放射の低減を可能にしている。また、ワイヤのように錆びて経時劣化して性能がＥＭＩ放射の特性が変化することがないため初期性能を安定して保つことを可能にしている。また、カーボンを充填した樹脂と違い削れにくいため粉塵の発生も極力抑えることができるようにしている。
【００２５】
また足２の中央に配置したことによりキャッリッジへの負荷変動も少なくしているので安定した画像読取装置を低減することを可能になっている。よってＥＭＩ放射の低減を経時においても特性劣化無しに図ることができる画像読取装置及び複写装置、ファクシミリ装置、画像形成装置を簡単な構成で提供することを可能にしている。
【図面の簡単な説明】
【００２６】
【図１】本発明の一実施形態に係る画像読取装置の全体構成を示す斜視図
【図２】同側面図
【図３】同第１キャリッジ詳細図
【図４】キャリッジの拡大斜視図
【符号の説明】
【００２７】
１００：画像読取装置
１：第１キャリッジ
２：第１キャリッジの足部分
３：第１キャリッジを支持するレール
４：第２キャリッジ
５：第２キャリッジを支持するレール
６：レンズ
７：ＣＣＤ
１０：光源
１１：反射板
１２：第１ミラー
２０：板バネ
２１：導電性の樹脂部材
【図１】
2008131118.tif 000003
【図２】
2008131118.tif 000004
【図３】
2008131118.tif 000005
【図４】
2008131118.tif 000006